(57)【要約】  音響構造体（１）は、対向して配置された透明又は半透明の一対の壁部材（１１）と、該一対の壁部材の間を連結する複数の連結壁部材（１２，１３）とにより形成された少なくとも１つの空洞部（２）と、前記空洞部の内部空間を外部空間に連通する開口部（３）とを備える。更に、複数の連結壁部材（１２，１３）の少なくとも一部が、無色の又は着色された透明又は半透明であってよい。空洞部を構成する壁部材のいずれかの部位に部分的に鏡面が設けられていてよい。前記空洞部の外側又は内側に近接して照明装置を配置してもよい。透明又は半透明の壁部材を通して音響体の反対側の光又は光景を見ることができるので、デザイン性及び使用感が向上する。【選択図】図１
2016136740.tif 000002
【特許請求の範囲】
【請求項１】
対向して配置された透明又は半透明の一対の壁部材と、該一対の壁部材の間を連結する複数の連結壁部材とにより形成された少なくとも１つの空洞部と、
前記空洞部の内部空間を外部空間に連通する開口部と
を備える音響構造体。
【請求項２】
前記一対の壁部材の少なくとも一部が、無色の又は着色された透明又は半透明性を持つ、請求項１の音響構造体。
【請求項３】
前記一対の壁部材の少なくとも一部が、透明又は半透明の色調が漸次変化する部分を持つ、請求項１又は２の音響構造体。
【請求項４】
複数の前記空洞部を並列的に備えており、各空洞部における前記一対の壁部材が対向する方向が該空洞部の並び方向に略直交する向きである、請求項１乃至３のいずれかの音響構造体。
【請求項５】
前記一対の壁部材の少なくとも一方が、少なくとも２つの隣接する空洞部の間で略面一となっている、請求項４の音響構造体。
【請求項６】
前記一対の壁部材の少なくとも一方が、少なくとも２つの隣接する空洞部の間で段差をなす面をなしている、請求項４の音響構造体。
【請求項７】
前記少なくとも２つの隣接する空洞部の間の前記段差をつなぐ前記連結壁部材の部分が、無色の又は着色された透明又は半透明性を持つ、請求項６の音響構造体。
【請求項８】
各空洞部間で前記一対の壁部材の透明又は半透明の色調が漸次変化する、請求項４乃至７のいずれかの音響構造体。
【請求項９】
前記複数の連結壁部材の少なくとも一部が、無色の又は着色された透明又は半透明性を持つ、請求項１乃至６のいずれかの音響構造体。
【請求項１０】
前記複数の連結壁部材の少なくとも一部が、鏡面を持つ、請求項１乃至９のいずれかの音響構造体。
【請求項１１】
前記一対の壁部材に対して前記連結壁部材の端部が接着されており、該連結壁部材の接着端部が前記鏡面からなる、請求項１０の音響構造体。
【請求項１２】
前記連結壁部材において前記空洞部の内部空間に面する面が前記鏡面からなる、請求項１０又は１１の音響構造体。
【請求項１３】
前記空洞部において前記一対の壁部材により形成される壁面の外側において、該一対の壁部材を連結する前記連結壁部材の配置に重なる部位に、鏡面が形成されている、請求項１乃至１２のいずれかの音響構造体。
【請求項１４】
前記空洞部の外側又は内側に近接して配置された照明装置を更に備える、請求項１乃至１３のいずれかの音響構造体。
【請求項１５】
前記空洞部は長手状の内部空間を持ち、前記照明装置は、前記内部空間の長手方向を指向して光を照射するように構成されている、請求項１４の音響構造体。
【請求項１６】
対向して配置された透明又は半透明の一対の壁部材と、該一対の壁部材の間を連結する複数の連結壁部材とにより形成された少なくとも１つの空洞部と、
前記空洞部の内部空間を外部空間に連通する開口部と、
前記空洞部を構成する壁面の内側及び外側における、前記一対の壁部材を直線的に貫通する透視を妨げない部位に形成された鏡面と
を備える音響構造体。
【請求項１７】
前記開口部は、前記一対の壁部材により形成される壁面において設けられている、請求項１乃至１６のいずれかの音響構造体。
【発明の詳細な説明】
【技術分野】
【０００１】
本発明は、音響構造体に関する。
【背景技術】
【０００２】
ホールや劇場、会議室などのように、壁に囲まれた部屋では、平行対面する壁面間で音が繰り返し反射することによりブーミングやフラッターエコーなどの音響障害が発生することがある。特許文献１には、この種の音響障害を防ぐために、角筒状に形成されたパイプを複数配列し、各パイプの側面に開口部を設けた音響構造体が開示されている。
【先行技術文献】
【特許文献】
【０００３】
【特許文献１】特開２０１０−０８４５０９号公報
【０００４】
従来知られた音響構造体は、音響効果を発生させるために機能する空洞部を構成する壁体が、木材あるいは合成樹脂等の不透明な材質からなっていた。ところで、音響構造体を部屋に設置する場合、該音響構造体はそれなりに嵩張るため、ユーザに室内空間を手狭に感じさせる場合があり、また、人によっては圧迫感が与えられるかもしれず、そうすると、ユーザに快適な使用感をもたらすことに支障をきたすかもしれない。従来知られた音響構造体にあっては、該音響構造体を室内に設置した状態において快適な使用感をユーザ（室内にいる人間）に与えるための工夫がなされていなかった。
【発明の概要】
【０００５】
本発明は、上述した事情に鑑みてなされたものであって、使用感の向上を図ることが可能な音響構造体を提供することを目的とする。
【０００６】
上記課題を解決するために、本発明の音響構造体は、対向して配置された透明又は半透明の一対の壁部材と、該一対の壁部材の間を連結する複数の連結壁部材とにより形成された少なくとも１つの空洞部と、前記空洞部の内部空間を外部空間に連通する開口部とを備える。
【０００７】
本発明によれば、音響効果を発生させるために機能する空洞部を構成する壁体のうち、対向して配置された一対の壁部材が透明又は半透明の材質で構成されるので、光を音響体の向こう側から該一対の壁部材を通して該音響体の手前側に導くことができる。これにより、音響構造体を部屋に設置したときに室内空間が手狭に感じられることを抑制できる。すなわち、音響構造体を設置する室内空間の閉塞感を抑制することができる。また、設置した音響構造体の向こう側にある光あるいは光景を音響体の手前側にて見せることができるので、ユーザに空間的広がりを感じさせることでき、使用感の向上を図ることができる。これにより、音響構造体の外観意匠の向上を図ることができる。
【０００８】
一実施例において、前記複数の連結壁部材の少なくとも一部が、鏡面を持つように構成してよい。これによれば、前記透明又は半透明の一対の壁部材を通して透視される光又は光景のみならず、鏡面で反射される光又は光景をも、音響体の手前側にいるユーザは見ることができる。従って、ユーザにより一層の空間的広がりを感じさせることできるので、使用感の向上を図ることができ、もって、音響構造体の外観意匠の向上を図ることができる。
【０００９】
更に、本発明の別の観点に従う音響構造体は、対向して配置された透明又は半透明の一対の壁部材と、該一対の壁部材の間を連結する複数の連結壁部材とにより形成された少なくとも１つの空洞部と、前記空洞部の内部空間を外部空間に連通する開口部と、前記空洞部を構成する壁面の内側及び外側における、前記一対の壁部材を直線的に貫通する透視を妨げない部位に形成された鏡面とを備える。この場合も、前記透明又は半透明の一対の壁部材を通して透視される光又は光景のみならず、鏡面で反射される光又は光景をも、音響体の手前側にいるユーザは見ることができる。従って、ユーザにより一層の空間的広がりを感じさせることできるので、使用感の向上を図ることができ、もって、音響構造体の外観意匠の向上を図ることができる。
【００１０】
一実施例において、前記空洞部の外側又は内側に近接して配置された照明装置を更に備えてよい。これによれば、空洞部を構成する前記透明又は半透明の一対の壁部材が照明装置からの光によって照らされることで、音響構造体の外観意匠をより一層向上できる。
【図面の簡単な説明】
【００１１】
【図１】本発明の一実施形態に係る音響構造体を示す正面図である。
【００１２】
【図２】図１のＡ−Ａ矢視断面図である。
【００１３】
【図３】図１の音響構造体の変形例を示す、図２と同様の断面図である。
【００１４】
【図４】図１の音響構造体の変形例を示す、図２と同様の断面図である。
【００１５】
【図５】図１の音響構造体の別の変形例を示す、図２と同様の断面図である。
【００１６】
【図６】本発明の一実施形態に係る鏡面層を備えた音響構造体を示す正面図である。
【００１７】
【図７】図６のＢ−Ｂ矢視断面図である。
【００１８】
【図８】図６の音響構造体の変形例を示す、図７と同様の断面図である。
【００１９】
【図９】図６の音響構造体の別の変形例を示す、図７と同様の断面図である。
【００２０】
【図１０】図６の音響構造体の他の変形例を示す、図７と同様の断面図である。
【００２１】
【図１１】本発明の一実施形態に係る照明装置を備えた音響構造体を示す正面図である。
【００２２】
【図１２】図１１のＣ−Ｃ矢視断面図である。
【００２３】
【図１３】図１１の音響構造体の変形例であり、（ａ）は要部拡大断面図、（ｂ）は（ａ）の要部を示す拡大断面図である。
【００２４】
【図１４】図１１の音響構造体の別の変形例であり、（ａ）は要部拡大断面図、（ｂ）は（ａ）の要部を示す拡大断面図である。
【００２５】
【図１５】図１１の音響構造体の更に別の変形例を示す要部拡大断面図である。
【発明を実施するための形態】
【００２６】
まず、図１及び図２を参照して本発明の一実施形態について説明する。図１及び図２に示すように、この実施形態に係る音響構造体１は、複数（図示例では４つ）の空洞部２をＹ方向に並列的に配置して備える。１つの空洞部２は、Ｘ方向に対向して配置された透明又は半透明の一対の壁部材１１と、該一対の壁部材１１の間を連結する複数の連結壁部材１２、１３とにより形成されており、図示例では縦長形状である。詳しくは、空洞部２の正面壁と背面壁が前記透明又は半透明の一対の壁部材１１によって構成され、左側面壁と右側面壁が左右一対の連結壁部材（側面部材とも言う）１２によって構成され、上面壁と底面壁が上下一対の連結壁部材（端面部材とも言う）１３によって構成される。図示例においては、複数の空洞部２を一体的に形成しているため、隣接する空洞部２の間で側面部材１２が共用されており、また、各空洞部２の正面壁の壁部材１１は大きな１枚のパネルの一部分からなり、同様に、各空洞部２の背面壁の壁部材１１も大きな１枚のパネルの一部分からなる。さらに、各空洞部２の上面壁をなす端面部材１３は共通の１枚の板材の一部分からなり、同様に、各空洞部２の底面壁をなす端面部材１３も共通の１枚の板材の一部分からなる。
【００２７】
各空洞部２において、該空洞部２を構成する壁面のいずれかの部位に少なくとも１つの開口部３が設けられる。図示例では、正面壁を構成する壁部材１１において１つの開口部３が設けられており、音響構造体１の外部空間が該開口部３を介して空洞部２の内部空間に連通している。こうして、音響構造体１の１つの空洞部２に関連する構造は、該空洞部２の内部空間と、該開口部３を介して該内部空間と外部空間とをつなぐネック空間とによって、１つのヘルムホルツレゾネータを構成し、音響構造体１が配置された室内空間における音響音の散乱効果及び吸収効果等に寄与する。公知のように、１つの空洞部２に対応して設ける開口部３の数は１に限らず複数であってもよく、また、その形状及びサイズも図示例に限定されることなく、適宜に設計変更してよい。例えば、開口部３は、壁部材１１の外面よりも突出したネックとして形成されてもよい。また、１つの開口部３は、例えば図１のように一つの開口孔によって構成されてもよいし、例えば所定の部分領域内に集めて配された複数の小径の開口孔の１集合によって構成されてもよい。この場合、一つの開口部３を構成する複数の開口孔の１集合は、その合計面積が一つの開口部３を構成する一つの開口孔の面積と同等となるように設けられればよい。
【００２８】
空洞部２の正面壁及び背面壁をなす前記一対の壁部材１１は、例えば硝子、アクリル等の透明材質からなる。一例として、該一対の壁部材１１は、全体にわたって透明でありかつ着色されていない無色透明な材質からなる。別の例として、該一対の壁部材１１の一部分が無色透明な材質からなっていてもよい。さらに別の例として、一対の壁部材１１は、透明材質からなるが適宜に着色されていてもよい。
【００２９】
前記一対の壁部材１１は、少なくとも音響構造体１の手前側（正面側）から該一対の壁部材１１を通して該音響構造体１の向こう側（背面側）の風景や様子を見ることができるように形成されていればよい。このため、壁部材１１の内部や表面には、例えば、該壁部材１１を通した透視を阻害しない程度に、該壁部材１１に入射する光を反射する複数の微小反射体（不図示）が分散して設けられてもよい。なお、この微小反射体の外観形状は任意であってよく、例えば粒状や箔状であってもよい。別の例として、一対の壁部材１１は、上記のような半透明材質からなり、かつ適宜の光の通過を許すように適宜に着色されていてもよい。要するに、前記一対の壁部材１１の少なくとも一部が、無色の又は着色された透明又は半透明性を持つように構成されていればよい。
【００３０】
なお、上記Ｘ方向は上記Ｙ方向と略直交する方向である。すなわち、各空洞部２における前記一対の壁部材１１が対向する方向Ｘが複数の空洞部２の並び方向Ｙに略直交する向きとなっている。これにより、併置された複数の空洞部２が重ならない方向において透明又は半透明の一対の壁部材１１が対向することになり、複数の空洞部２を備える音響体１全体として、透明又は半透明の一対の壁部材１１を通した透視がし易いものとなる。
【００３１】
空洞部２の左側面壁及び右側面壁をなす１対の側面部材（連結壁部材）１２は、例えば図２のように着色された硝子、アクリルなど透明であるが着色された着色透明素材からなってもよいし、あるいは光を通すが透視できない半透明素材からなってもよい。その場合、１対の側面部材１２に用いる着色透明部材の色調は特に限定されない。半透明素材は、その表面あるいは内部において光を乱反射させて直線的に透過させない素材である。半透明部材の具体的な構成は任意であってよく、例えば硝子、アクリルなどの表面に微細な傷をつけて構成されてもよいし、硝子、アクリルなどの内部に光を乱反射させる要素を設けて構成されてもよい。また、側面部材１２の内部や表面には、上記と同様に複数の微小反射体が分散して設けられてもよい。これらの１対の側面部材１２の透明性又は半透明性は、全体的であってもよく、若しくは部分的であってもよい。別の例として、空洞部２の左側面壁及び右側面壁をなす１対の側面部材（連結壁部材）１２は、光を全く透過しない不透明な材質からなっていてもよい。
【００３２】
また、本実施形態では、空洞部２の上面壁及び底面壁をなす１対の端面部材（連結壁部材）１３も、上記した１対の側面部材１２と同様に、全体的に又は部分的に、着色透明素材あるいは半透明素材からなっていてもよい。また、端面部材１３の内部や表面には、上記と同様に複数の微小反射体が分散して設けられてもよい。別の例として、１対の端面部材１３は、光を全く透過しない不透明な素材からなっていてもよい。
【００３３】
連結壁部材１２及び１３は、例えば、両方ともに着色透明素材あるいは半透明素材からなってもよいが、例えばこれらの一方が着色透明素材からなり、他方が半透明素材からなってもよい。また、連結壁部材１２及び１３がいずれも着色透明素材からなる場合、連結壁部材１２及び１３の色調は、例えば同じであってもよいし、例えば異なっていてもよい。
従って、一実施例として、一対の壁部材１１のみならず、空洞部２を構成するすべての壁面が、透明又は半透明の無色の又は着色された素材からなる、という実施形態もあり得る。
【００３４】
上記実施形態では、空洞部２は角筒状に形成されている。このため、空洞部２の壁面を構成する前記一対の壁部材１１及び一対の側面部材１２は、いずれも平板状に形成されている。しかし、これに限らず、一対の壁部材１１及び／又は一対の側面部材１２は（さらには必要に応じて端面部材１３も）、適宜に湾曲した面形状をなすように形成されていてもよい。これにより、空洞部２の内部空間を湾曲した空間（あるいは円筒に近い空間）に形成してもよい。別の例として、少なくとも１つの空洞部２において、前記一対の壁部材１１は、平板からなるものとするが、図示例のように平行ではなく、不平行的に対向するように配置してもよい。
【００３５】
また、図示例では、複数の空洞部２の間で、前記一対の壁部材１１のそれぞれを共通のパネルを用いて構成しているため、これらの壁部材１１は隣接する空洞部の間で略面一となるように構成されている。これにより、複数の空洞部２の間で共通のパネルを用いて壁部材１１を容易に構成することができるというメリットがある。しかし、これに限らず、一対の壁部材１１の少なくとも一方が、少なくとも２つの隣接する空洞部２の間で略面一となるように構成されていてもよいし、あるいは、図３に示すように、一対の壁部材１１の少なくとも一方の面が、少なくとも２つの隣接する空洞部２の間で段差をなすように構成されていてもよい。
【００３６】
図３は、少なくとも２つの隣接する空洞部２の間で段差をなすように構成した変形例を示す断面図である。このように段差をなすように構成すれば、隣接する空洞部２の奥行き長が適宜互いに異なるような音響体１を構成することができる。その場合、前記少なくとも２つの隣接する空洞部２の間の前記段差をつなぐ前記側面部材（連結壁部材）１２の部分１２ｂ，１２ｃ，１２ｄが、少なくともその部分において無色の又は着色された透明又は半透明性を持つようにするとよい。そうすれば、前記段差のために外側に突出することになる前記側面部材（連結壁部材）１２の一部分１２ｂ，１２ｃ，１２ｄが、一対の壁部材１１と同様に、無色の又は着色された透明又は半透明性とされることで、そのような変則的な構造であっても、複数の空洞部２を備える音響体１全体として、背面およびその周辺から正面への透光性がより一層向上する。
【００３７】
また、空洞部２の壁面を構成する前記一対の壁部材１１及び一対の側面部材１２は、例えば合成樹脂等によって一体的に形成されてもよいが、本実施形態では、別個に形成された上で互いに固定される。一対の側面部材１２と一対の壁部材１１は、例えばネジ止め等によって相互に固定されてもよいが、本実施形態では接着によって相互に固定される。接着に使用する接着剤は、光透過性を有することが好ましく、例えば透明であるとよい。接着剤は、例えば従来周知の合成樹脂であってもよいし、例えば空洞部２を構成する透明素材を一時的に溶かす溶剤であってもよい。
【００３８】
一対の側面部材１２と一対の壁部材１１とを相互に接着する場合、四つの部材の相対的な位置は任意であってよい。例えば、板厚方向（Ｙ方向）に互いに間隔をあけて配された一対の側面部材１２の間に一対の壁部材１１が位置してもよいが、本実施形態では、板厚方向（Ｘ方向）に間隔をあけて配された一対の壁部材１１の間に一対の側面部材１２が位置する（図２）。また、本実施形態では、各端面部材１３が一対の側面部材１２と同様に一対の壁部材１１の間に位置する。
【００３９】
さらに、本実施形態の音響構造体１は、上述したように複数の空洞部２を備える。複数の空洞部２の長さや太さは、互いに異なっていてもよいが、本実施形態では同一に設定されている。また、本実施形態では、複数の空洞部２の開口部３が、空洞部２の長手方向に関して互いに異なる位置に形成されている。本実施形態において、複数の空洞部２は、Ｙ方向に隙間なく配列されている。これにより、音響構造体１は、Ｘ方向を板厚方向とするパネル状に形成される。また、複数の空洞部２は、例えば個別に形成された上で互いに固定されてもよいが、本実施形態では一体に形成されている。勿論、１つの空洞部２のみで音響構造体１を構成してもよい。
【００４０】
以上のように構成される音響構造体１は、単に部屋に設置されてもよいが、例えば部屋の壁に組み込んで構成してもよいし、例えば部屋を複数の空間に仕切るための仕切板を構成してもよい。また、音響構造体１は、例えば窓の近くに設置されてもよいし、例えば窓を構成してもよい。
【００４１】
以上説明したように本実施形態の音響構造体１によれば、光を音響構造体１の向こう側（背面側）から透明又は半透明の一対の壁部材１１を通して手前側（正面側）に導くことができる。これにより、音響構造体１を部屋に設置しても室内空間が手狭に感じられることを抑制できる。すなわち、音響構造体１を設置する室内空間の閉塞感を抑制することができる。したがって、音響構造体１の外観意匠の向上を図ることができる。
【００４２】
また、本実施形態の音響構造体１によれば、正面壁及び背面壁をなす透明又は半透明の一対の壁部材１１を通して音響構造体１の手前側（正面側）から向こう側（背面側）の風景や様子を見ることができる、あるいは光を感じることができる。また、正面壁及び背面壁をなす一対の壁部材１１を無色透明とし、連結壁部材１２，１３を着色透明又は半透明とすることで、一対の壁部材１１と連結壁部材１２，１３との境界が目立たなくなる。この境界は、正面の壁部材１１を通して外側から視認できる壁部材１１と連結壁部材１２，１３との接着部位であるが、仮にこの接着部位に気泡が混入していても、気泡が目立たなくなる。これにより、音響構造体１の外観意匠を向上できる。
【００４３】
以上、本発明の一実施形態について詳細に説明したが、本発明は上記実施形態に限定されるものではなく、本発明の趣旨を逸脱しない範囲において種々の変更を加えることが可能である。
【００４４】
正面壁及び背面壁をなす一対の壁部材１１は、例えば図４，５に示すように、着色透明素材からなってもよい。この場合、左右の側面部材１２は、例えば図４のように無色透明部材からなってもよいし、例えば図５のように半透明部材からなってもよいし、若しくは着色透明部材からなってもよい。また、上下の端面部材１３は、側面部材１２と同様に無色透明部材あるいは半透明部材あるいは着色透明部材からなってもよい。このような構成であっても、上記実施形態と同様の効果を奏する。
【００４５】
上記した構成において、正面壁及び背面壁をなす一対の壁部材１１に用いる着色透明素材の色調は、音響構造体１の手前側から一対の第一壁部６Ａを通してパイプ２の向こう側の風景や様子を見ることができる程度であればよい。また、正面壁及び背面壁をなす一対の壁部材１１及び左右の側面部材１２が共に着色透明素材からなる場合、これら部材１１，１２の色調は、例えば同じであってもよいが、異なっていてもよい。
【００４６】
また、本明細書で述べる全ての実施例において、一対の壁部材１１及び／又は複数の連結壁部材１２，１３に用いる着色透明素材の色調が、例えば空洞部２の長手方向あるいは横方向に向けて漸次変化するように変形してもよい。すなわち、着色透明素材はグラデーションを有するように構成してもよい。別の変形例として、横方向（Ｙ方向）に順次並んだ各空洞部２間で前記一対の壁部材１１の透明又は半透明の色調が漸次変化するように構成してもよい。これらの場合には、音響構造体１の外観意匠をさらに向上することができる。また、一対の壁部材１１及び／又は複数の連結壁部材１２，１３に用いる半透明素材も、例えば上記した着色透明部材と同様のグラデーションを有してもよい。なお、本明細書において「色調」が異なる又は変化するとは、略同一色相でその明度（明暗又は濃淡）が異なる又は変化する場合のみならず、色相そのものが異なる又は変化する場合をも含む。
【００４７】
次に、鏡面層を備えた音響構造体１のいくつかの実施例について図６〜図１０を参照して説明する。図６〜図１０において、図１〜図５と同一の参照番号は同一の構成要素を示すので、重複説明を省略する。
【００４８】
図６においては、最前面に位置する１枚の透明パネルからなる壁部材１１を通して、各連結壁部材１２，１３の該壁部材１１に対する接続端が見えるように描かれており、これらの連結壁部材１２，１３の接続端に鏡面７Ａ，７Ｂが形成されている。
【００４９】
まず、連結壁部材（側面部材）１２における鏡面７Ａについて説明すると、図７に示すように、１枚の側面部材１２の鏡面７Ａは、該側面部材１２の形状をなすベース部８の表面の一部に形成される鏡面層９の面である。すなわち、１枚の側面部材１２はベース部８と鏡面層９とを備える。ベース部８は、例えば光を通さない不透明部材や、光を通すが透視できない半透明部材によって構成されてもよいが、本実施形態では、壁部材１１と同様に硝子、アクリル等の透明材料によって構成される。鏡面層９は、例えばベース部８の表面に金属を蒸着することで形成されてもよいし、ベース部８の表面に貼り付けられる部材（例えば金属製の薄膜部材、紙等のベースシートに金属を蒸着したシート部材など）であってもよい。本実施形態では、鏡面層９がベース部８のうちＸ方向に向く面、より具体的にはベース部８のうちＸ方向に直交する面に形成されている。すなわち、本実施形態において、側面部材１２の鏡面７ＡはＸ方向に直交する。なお、図７においては、一方の（正面壁の）壁部材１１に接着される側面部材１２の接続端のみが鏡面７Ａとなっているが、これに限らず、他方の（背面壁の）壁部材１１に接着される側面部材１２の接続端も鏡面７Ａとなってもよい。
【００５０】
次に、連結壁部材（端面部材）１３における鏡面７Ｂについて説明すると、図６に示すように、上下の端面部材１３の正面壁部材１１に対する接続端が鏡面７Ｂとなっている。の表面の一部も鏡面７Ｂとなっている。すなわち、本実施形態の端面部材１３は、上記した側面部材１２と同様に、端面部材１３の形状をなすベース部（不図示）と、ベース部の表面の一部に形成される鏡面層（不図示）とを備え、該鏡面層により鏡面７Ｂが形成される。端面部材１３のベース部は、例えば不透明部材や半透明部材によって構成されてもよいが、本実施形態では硝子、アクリル等の透明材料によって構成される。本実施形態において、端面部材１３の鏡面７Ｂは、側面部材１２の鏡面７Ａと同じ方向に向く、すなわち、Ｘ方向に直交する。
【００５１】
図６及び図７に示す音響構造体１によれば、一対の壁部材１１等が透明又は半透明であることにより、前述と同様に、それらの透明又は半透明の部位を通して、音響構造体１の向こう側の風景や様子を見ることができる。加えて、連結壁部材（側面部材１２及び端面部材１３）の表面の一部が鏡面７Ａ，７Ｂであることで、これらの鏡面７Ａ，７Ｂに映り込む音響構造体１の周囲の風景や様子も適宜見ることができる。すなわち、音響構造体１の向こう側の風景や様子、及び、鏡面７Ａ，７Ｂに映り込む風景や様子の両方を見ることができるため、音響構造体１の外観意匠を向上できる。また、音響構造体１の向こう側の風景や様子、及び、鏡面７Ａ，７Ｂに映り込む風景や様子の両方が見えることで、音響構造体１を設置する室内空間の閉塞感を抑制することもできる。
【００５２】
また、本実施形態の音響構造体１では、透明又は半透明の一対の壁部材１１に対する各連結壁部材（側面部材１２及び端面部材１３）の接続部位（接着部位）がそれぞれ鏡面７Ａ，７Ｂとなっている。この場合、壁部材１１の透明性の故に、これらの接続部位（接着部位）は、該透明な壁部材１１を通して外側から視認できるが、仮にこの接続部位（接着部位）に接着剤の気泡が混入していても、鏡面７Ａ，７Ｂによって気泡が目立たなくなる。よって、音響構造体１の外観意匠をさらに向上することができる。
【００５３】
鏡面を設ける部位は、上記例に限らず、任意に変更できる。例えば、左右の側面部材１２においては、図８に示すように、空洞部２の内部空間に面する面が前記鏡面７Ａとなっていてもよい。さらに、音響体１の外面をなす側面部材１２の一面において鏡面７Ａ’を形成してもよい。また、図示しないが、端面部材１３の鏡面７Ｂも、上記と同様に、空洞部２の内部空間に面する面に設けてもよいし、音響体１の外面をなす端面部材１３の一面において鏡面を設けてもよい。このような構成であっても、上記図６，図７の実施形態と同様の効果を奏する。
【００５４】
また、図８に例示する音響構造体１が窓の近くに設置されたり、窓を構成する場合には、太陽光などのように部屋の外側から内側に射し込む光（外光）を、側面部材１２の鏡面７Ａにおいて反射させた上で室内に導くこともできる。これにより、室内のより広い領域（例えば室内全体）を外光によってより明るく照らすことができる。
【００５５】
また、側面部材１２の鏡面７Ａは、側面部材１２の表面の一部に限らず、例えば図９に示すように、側面部材１２の表面全体にわたって形成されていてもよい。また、図示しないが、端面部材１３の鏡面７Ｂについても同様であってよい。
【００５６】
さらに別の例として、鏡面７Ａは、側面部材１２の表面に直接形成されることに限らず、例えば図１０に示すように、透明又は半透明の壁部材１１の外面のうち側面部材１２とＸ方向に重なる領域に形成されてもよい。また、図示はしないが同様にして、鏡面７Ｂも、透明又は半透明の壁部材１１の外面のうち端面部材１３とＸ方向に重なる領域に形成されてもよい。要するに、空洞部２において前記一対の壁部材１１により形成される壁面の外側において、該一対の壁部材１１を連結する前記連結壁部材１２，１３の配置に重なる部位に、鏡面７Ａ，７Ｂが形成されていてよい。
【００５７】
このような構成であっても上記図６，図７に例示した上記実施形態と同様の効果を奏する。また、壁部材１１に対する連結壁部材１２，１３の接続部位（接着部位）が鏡面７Ａ，７Ｂによって外側から覆われるため、該接続部位（接着部位）の外観意匠性が接着剤等への気泡の混入等によって低くても、この接着部位自体が外側から視認されることを防止できる。したがって、音響構造体の外観意匠を向上することができる。
【００５８】
ここで、図６乃至図１０に例示した実施形態を要約すると、音響構造体１は、対向して配置された透明又は半透明の一対の壁部材１１と、該一対の壁部材１１の間を連結する複数の連結壁部材１２，１３とにより形成された少なくとも１つの空洞部２と、前記空洞部２の内部空間を外部空間に連通する開口部３と、前記空洞部２を構成する壁面の内側及び外側における、前記一対の壁部材１１を直線的に貫通する透視を妨げない部位に形成された鏡面７Ａ，７Ｂとを備える。
【００５９】
次に、照明装置を備えた音響構造体１のいくつかの実施例について図１１〜図１５を参照して説明する。図１１〜図１５において、図１〜図５と同一の参照番号は同一の構成要素を示すので、重複説明を省略する。図１２は、図１１のＣ−Ｃ矢視断面図である。なお、図１１のＡ−Ａ矢視断面図は図２と実質的に同じであるため図示を省略する。
【００６０】
図１１及び図１２に示すように、この実施形態に係る音響構造体１は、上記各実施例の少なくともいずれか１つに関連する構成を有することに加えて、空洞部２に向けて光を照射する照明装置１０を備える。なお、効果的な照明効果を得るためには、空洞部２を構成する壁部材１１，１２，１３が、全体的に又はかなりの部分で、透明または半透明素材で形成されるのがよい。そして、透明または半透明素材からなる壁部材における光源近くの部位では、光を効率的に照射するために、後述するように、適宜に遮蔽層あるいは反射層を形成するとよい。
【００６１】
照明装置１０は、単なる白色光を出射するものであってもよいが、例えば、様々な色の光を出射するものであってよい。また、照明装置１０は、その光度が調整可能であってもよい。本実施形態の照明装置１０は、棒状に形成され、長手方向にわたって径方向に光を出射する。この照明装置１０は、例えば蛍光灯等のような棒状の光源であってもよいし、例えばＬＥＤ光源のような点光源を長手方向に複数配列して構成されてもよい。
【００６２】
照明装置１０は、例えば空洞部２の長手方向の両方の端部に設けられてもよいが、本実施形態では空洞部２の長手方向の一方の端部（図１１及び図１２において上端部）のみに配されている。この状態において、照明装置１０はその長手方向が複数の空洞部２の配列方向（Ｙ方向）に一致している。これにより、照明装置１０の光は、空洞部２に向けてその長手方向に照射され、空洞部２の内部空間内を長手方向に通る。
【００６３】
図１１及び図１２の例では、照明装置１０は、空洞部２の上面壁をなす端面部材１３の上に置かれ、該上面壁をなす端面部材１３は透明素材で構成される。音響構造体１は、照明装置１０を空洞部２に対して着脱自在に取り付ける取付部２０を備える。取付部２０は、照明装置１０を保持する保持部２１と、保持部２１に一体に設けられて空洞部２を挟み込む挟持部２２と、を備える。保持部２１は、一方向（下方向）に開口する箱状に形成されている。照明装置１０は、保持部２１に対して挿抜自在に収容される。照明装置１０の光は、保持部２１の開口のみから外側に出射される。保持部２１及び／又は挟持部２２の内面は、例えば鏡面であってもよいが、これに限ることはない。
【００６４】
さらに、本実施形態の音響構造体１は、信号出力部３１と、信号出力部３１からの信号に基づいて照明装置１０の点灯状態を制御する発光制御部３２と、を備える。信号出力部３１には、例えば、周囲の温度、湿度、光度を検出したり、四季、月、日等を含む時間を検出したりするセンサ３３や、音響構造体１のユーザーが照明装置１０の光の光度や色のデータを手動で入力する入力部３４が含まれる。
【００６５】
発光制御部３２は、センサ３３から出力される検出信号や、入力部３４から出力されるデータ信号に基づいて、例えば、照明装置１０の光の光度や色を変化させたり、照明装置１０の点灯／消灯（ＯＮ／ＯＦＦ）を切り換えたりする。例えば、センサ３３において、音響構造体１の周囲の光度が高いことが検出されたり、日中の時間であることが検出された場合、発光制御部３２は、例えば照明装置１０の光の光度を高く設定する。また、例えばセンサ３３において、音響構造体１の周囲の温度が低いことが検出されたり、冬であることが検出された場合、発光制御部３２は、例えば照明装置１０の光の色を暖色（例えば赤色、オレンジ色など）に設定する。
【００６６】
また、例えば、センサ３３において夜になったことが検出された場合に、発光制御部３２が照明装置１０を点灯（ＯＮ）し、センサ３３において朝になったことが検出された場合に、発光制御部３２が照明装置１０を消灯（ＯＦＦ）する。また、例えば、センサ３３において祝日やイベントのある日であることが検出された場合に、発光制御部３２は、例えば照明装置１０の点灯と消灯を繰り返させたり（照明装置１０を点滅させたり）、照明装置１０の点灯と消灯の時間的な間隔を適宜変化させたりする。
【００６７】
以上のように構成される音響構造体１を会議室等の部屋に設置する場合、音響構造体１は、例えば部屋の壁面に固定されてもよいし、例えば部屋の床面に載置されてもよい。また、音響構造体１は、例えば図１１に示すように、チェーンや紐等の吊具４０を用いて部屋の天井から吊り下げてもよい。図１１において、吊具４０は、取付部２０に接続されているが、例えば空洞部２の壁体に接続されてもよい。
【００６８】
以上のように、本実施形態の音響構造体１によれば、透明部材からなる空洞部２が照明装置１０の光によって照らされることで、空洞部２の外観意匠を向上できる。また、少なくとも部分的に透明又は半透明素材で構成される空洞部２の壁体と、空洞部２の内部空間との界面あるいは外部空間との界面において照明装置１０の光が屈折する等して、空洞部２をきらびやかに見せることができる。また、仮に空洞部２を構成する壁部材同士の接着部位（例えば一対の壁部材１１と連結壁部材１２，１３との接着部位）に気泡が混入していても、接着部位と気泡との界面において照明装置の光が屈折、反射する等して気泡が目立たなくなる。また、例えば、空洞部２を構成する部材同士の境界部分において照明装置１０の光が屈折する等して、境界部分が目立たなくなる。以上のことから、音響構造体１の外観意匠の向上を図ることができる。また、本実施形態の音響構造体１によれば、透明又は半透明素材からなる空洞部２の壁体に照明装置１０を取り付けて構成されるため、音響構造体１を照明器具として利用することも可能となる。
【００６９】
また、本実施形態の音響構造体１によれば、照明装置１０が空洞部２の長手方向の一方の端部に配されて、照明装置１０の光が空洞部２の長手方向に照射される。このため、照明装置１０の光が通過する空洞部２の空間と壁部との界面の数を少なくすることができる。これにより、照明装置１０の光が空洞部２の長手方向の一方の端部から他方の端部に通過しやすくなる。すなわち、照明装置１０の光を室内の照明として有効に活用できる。この効果は、照明装置１０が空洞部２の長手方向の両方の端部に配される場合でも同様に得られる。
【００７０】
また、本実施形態の音響構造体１によれば、照明装置１０が空洞部２の内部空間や周辺壁に対して空洞部２の長手方向に隣り合う位置に設けられている。このため、照明装置１０の光が空洞部２の内部空間内や周辺壁内を積極的に照射する。すなわち、照明装置１０の光によって空洞部２の内部空間内や周辺壁内を積極的に照らすことができる。
【００７１】
また、本実施形態の音響構造体１によれば、信号出力部３１と、信号出力部３１からの信号に基づいて照明装置１０の点灯状態を制御する発光制御部３２とを備える。このため、室内外の環境やユーザーの好みに適した光度や色の光によって空洞部２を照らしたり、照明装置１０の点灯／消灯を切り換えたりすることができる。また、これによって、室内に音響構造体１が設置されることによる違和感を緩和することもできる。
【００７２】
また、本実施形態の音響構造体１によれば、照明装置１０を空洞部２に対して着脱自在に取り付ける取付部２０を備える。このため、照明装置１０を空洞部２に対して容易に交換することができる。また、本実施形態の音響構造体１において、取付部２０の保持部２１や挟持部２２の内面が鏡面である場合には、空洞部２の空洞内や壁部内に対して、照明装置１０の光を積極的に空洞部２の長手方向に照射させることができる。
【００７３】
上記図１１，図１２に示す実施形態の変形例として、音響構造体１において、空洞部２の内壁面の一部には、例えば光が透過しない遮光層が設けられてもよいし、あるいは光を反射させる鏡面層が設けられてもよい。遮光層は、光が空洞部２の内部空間と周辺壁との間で透過することを防ぐ。鏡面層は、空洞部２の内部空間内を通る光を反射したり、空洞部２の周辺壁に当たる光を反射したりする。これら遮光層や鏡面層は、空洞部２の周辺壁のうち例えば一対の壁部材１１に形成されてもよいが、複数の空洞部２を一列に並べた上記実施形態の音響構造体１では、複数の側面部材１２に形成されるとよい。これらの構成によれば、各空洞部２の内部空間内や周辺壁に対して、照明装置１０の光を空洞部２の長手方向に積極的に照射させることができる。
【００７４】
また、例えば図１３，図１４に示すように、照明装置１０Ａは、空洞部２を構成する連結壁部材１２又は１３内に形成された収容空間１６に設けられてもよい。この場合、収容空間１６は、例えば図１３，図１４に示すように、空洞部２を構成する壁部（連結壁部材１２又は１３）の表面から窪む窪み部１５によって構成され、照明装置１０Ａはこの窪み部１５に設けられてもよい。収容空間１６を窪み部１５によって構成する場合、音響構造体１を容易に製造することが可能となる。
【００７５】
図１３，図１４に示す音響構造体１Ａ，１Ｂでは、いずれも照明装置１０Ａ及び窪み部１５（収容空間１６）が、上記実施形態と同様に、各空洞部２の長手方向の一方の端部に設けられている。ただし、図１３，図１４に示す音響構造体１Ａ，１Ｂでは、いずれも照明装置１０Ａが複数設けられている。
【００７６】
また、図１３に示す音響構造体１Ａでは、窪み部１５が空洞部２の上面壁をなす端面部材１３の内面１３ａ（表面）に形成されている。これにより、各窪み部１５に設けられた各照明装置１０Ａの光は、各空洞部２の空洞内を空洞部２の長手方向に照射される。
【００７７】
図１３の音響構造体１Ａにおいては、例えば端面部材１３に形成される窪み部１５が複数の空洞部２の配列方向に延びる溝状とされ、照明装置１０Ａが、この窪み部１５に設けられてもよい。この場合、照明装置１０Ａは、例えば上記実施形態と同様に、複数の空洞部２の配列方向に延びる棒状の光源であってよい。また、図１３の音響構造体１Ａにおいては、例えば窪み部１５を形成せずに、照明装置１０Ａを空洞部２の端面部材１３の内面１３ａに取り付けてもよい。
【００７８】
一方、図１４に示す音響構造体１Ｂでは、照明装置１０Ａが空洞部２の側面部材１２と端面部材１３との接着部位に設けられ、側面部材１２が透明素材で形成される。この構成において、窪み部１５は、例えば端面部材１３の方に形成されてもよいが、図１４では側面部材１２の方の接着面１２ａ（表面）に形成されている。これにより、各窪み部１５に設けられた各照明装置１０Ａの光は、透明素材からなる側面部材１２を通過して各空洞部２の長手方向に照射される。
【００７９】
図１３，図１４に示す音響構造体１Ａ，１Ｂによれば、照明装置１０Ａが複数設けられ、複数の照明装置１０Ａの光が、各々の空洞部２の内帑空間内や内壁面を別個に照らす、すなわち、複数の空洞部２の別個の部位を照らす。このため、例えば複数の照明装置１０Ａの光の色や光度を互いに異ならせることができる。これにより、音響構造体１Ａ，１Ｂの外観意匠を更に向上できる。複数の照明装置は、複数の空洞部２に対応づけて設けられることに限らず、例えば一つの空洞部２に対して設けられてもよい。この場合、複数の照明装置は、１つの空洞部２の互いに異なる部位を照らせばよい。
【００８０】
図１３，図１４に例示したように、照明装置１０Ａを収容する収容空間１６が空洞部２の長手方向の端部に設けられる場合、収容空間１６の内面のうち空洞や空洞部２の長手方向に延びる壁部材１２との間に照明装置１０Ａを挟み込む面１６ａには、例えば光が透過しない遮光層が設けられてもよい。また、収容空間１６の内面のうち空洞部２の長手方向に交差する内側面１６ｂ（図１２，１３において窪み部１５の内側面１６ｂ）にも、例えば同様の遮光層が設けられてもよい。このような構成では、照明装置１０Ａから出射した光が不要な方向（空洞部２を照らさない方向）に漏れることを防止できる。すなわち、各空洞部２において、照明装置１０Ａの光を空洞部２の長手方向に積極的に照射させることができる。
【００８１】
また、収容空間１６の内面のうち空洞や空洞部２の長手方向に延びる壁部材１２との間に照明装置１０Ａを挟み込む面１６ａや、収容空間１６の内面のうち空洞部２の長手方向に交差する内側面１６ｂ（図１３，図１４において窪み部１５の内側面１６ｂ）には、例えば光を反射させる鏡面層が設けられてもよい。このような構成では、各空洞部２において、照明装置１０Ａの光をより積極的に空洞部２の長手方向に照射させることができる。図１３，図１４に例示した上記構成は、適宜組み合わされてもよい。
【００８２】
また、照明装置１０Ａは、例えば図１５に示すように、透明素材からなる側面部材１２に設けられてもよい。この場合、照明装置１０Ａは、例えば空洞部２の長手方向（図１５において紙面に直交する方向）に延びる棒状の光源であってもよいし、例えば複数の点光源を空洞部２の長手方向に配列して構成されてもよい。この構成において、照明装置１０Ａは、例えば壁部材１１の方に設けられてもよいが、図１５では側面部材１２の方に設けられている。また、照明装置１０Ａは、例えば側面部材１２の表面に設けられてもよいが、図１５に示す音響構造体１Ｃでは側面部材１２内に形成された収容空間１６に設けられている。この場合、収容空間１６は、例えば図１５に示すように、側面部材１２の表面から内部に窪む窪み部１５によって構成され、照明装置１０Ａはこの窪み部１５に設けられてもよい。
【００８３】
図１５に示す音響構造体１Ｃによれば、図１３に例示した音響構造体１Ａと同様の効果を奏する。また、図１５に示す音響構造体１Ｃによれば、同一の照明装置１０Ａの光によって空洞部２の内部空間内及び壁部材１２内を積極的に照らすことができる。
【００８４】
図１５に例示した音響構造体１Ｃにおいて、隣り合う二つの空洞部２の側面壁を構成する同一の側面部材１２に、隣り合う二つの空洞部２の各空洞に向けて各々光を照射する二つの照明装置１０Ａが設けられる場合には、収容空間１６（窪み部１５）の内面に、例えば光が透過しない遮光層や、例えば光を反射させる鏡面層が設けられてもよい。図１５に例示した上記構成は、上記実施形態や図１３，図１４に例示した構成と適宜組み合わされてよい。
【００８５】
また、照明装置は、例えば複数の空洞部２の配列方向（Ｙ方向）の少なくとも一方の端部に設けられてもよい。この構成において、照明装置の光は、複数の空洞部２の配列方向（Ｙ方向）に照射されて複数の空洞部２を透過してもよい。また、照明装置は、例えば上記実施形態と同様に空洞部２の長手方向に延びる棒状に形成されてもよいし、例えば空洞部２の長手方向に複数配列されてもよい。このような構成であっても、上記実施形態と同様の効果を奏する。また、照明装置は、例えば空洞部２の長手方向の一方の端部、及び、複数の空洞部２の配方向の一方の端部の両方に設けられてもよい。上記した構成は、上記実施形態や図１３〜１５に例示した構成と適宜組み合わされてよい。
【図１】
2016136740.tif 000003
【図２】
2016136740.tif 000004
【図３】
2016136740.tif 000005
【図４】
2016136740.tif 000006
【図５】
2016136740.tif 000007
【図６】
2016136740.tif 000008
【図７】
2016136740.tif 000009
【図８】
2016136740.tif 000010
【図９】
2016136740.tif 000011
【図１０】
2016136740.tif 000012
【図１１】
2016136740.tif 000013
【図１２】
2016136740.tif 000014
【図１３】
2016136740.tif 000015
【図１４】
2016136740.tif 000016
【図１５】
2016136740.tif 000017
【国際調査報告】
2016136740.tif 000018
2016136740.tif 000019
2016136740.tif 000020
2016136740.tif 000021